(57)【要約】      （修正有）【課題】ペットのトリミングや人の頭髪をカットするときの刈り込む長短を調整できるように、櫛本体に厚みとなる辺の異なるいくつかのアタッチメントを、簡単に着脱できるようにした櫛を提供する。【解決手段】櫛の背に背の厚みを変えるためのアタッチメント７を着脱可能なようにし、櫛で梳いたときにはみ出した毛を、鋏でカットすれば、容易に刈り込みできるようにした。毛を梳く櫛と、その櫛の背の厚みを変えるための、厚みとなる辺１１の違う数種類のアタッチメントからなるものである。【選択図】図４
0003162708.tif 000002
【実用新案登録請求の範囲】
【請求項１】
背の厚みを変えるためのアタッチメントを、着脱できるようにした櫛
【請求項２】
請求項１の櫛に着脱できるようにしたアタッチメント
【考案の詳細な説明】
【技術分野】
【０００１】  この考案は、ペットのトリミングや人の頭髪をカットするときの刈り込む長短を調整できるように、櫛本体に、厚みとなる辺の異なるいくつかのアタッチメントを、簡単に着脱できるようにしたものである。
【背景技術】
【０００２】  ペットのトリミングや、人の頭髪の刈り込む長短を調整しカットする物としては、電気式を含め、様々なバリカン式のものが開発され広く普及している。
しかし櫛に工夫を凝らし、刈り込む長短を好みの長さに調整し、鋏でカットできる物はなかった。
【考案の概要】
【考案が解決しようとする課題】
【０００３】  バリカン式の刈り込み器では、人の頭髪にも言える事ではあるが、特にペット等動物の細く軟らかい体毛１３をカットする場合、バリカンの刃と長短を調整する器具との間に体毛１３が絡まり詰まりやすく、それを取り除く為に、度々作業を中断しなければならないなど、作業そのものに時間がかかった。
また作業の終了時には、刃の部分の分解掃除が必要であり、加えて作業の開始、終了時には、注油の必要もある等、非常に手間であった。
さらに、バリカンそのものの構造が複雑である等の理由の為か、価格も安価なものではなかった。
【課題を解決するための手段】
【０００４】  櫛の背上部１に溝２をほり、その溝にアタッチメント７に設けた突起状の部分８を差込めるようにした。
櫛そのものは表裏の区別がなく、アタッチメントを右側面９又は左側面１０、どちら側から差込むかで、使用者にとって表面にも裏面にもなりうるものとし、握り部３も同様に、左手でも右手でも握れる表裏同様形状とした。
又アタッチメントは６ミリ厚、９ミリ厚、１２ミリ厚等の、厚みとなる辺１１の違うもの数種類を用意するようにした。
【考案の効果】
【０００５】  櫛を皮膚に当てて梳くと櫛の背の厚み６よりも長い毛の部分が必然的に櫛の背４の辺りにはみだしてくる、そのはみ出した体毛１３を鋏でカットすれば、簡単に体に残った方の毛の長さを揃えることができる。
刈り込みたい毛の長さは、厚みとなる辺１１の違う数種類のアタッチメントの中ら、好みとするものを選んで櫛に差込み、その厚みを鋏のガイドとしカットすることにより容易にすばやく美しく揃える事ができる。
アタッチメントを装着しないで、櫛そのものの背をガイドとしてカットする時が、一番短い刈り込みとなる。
櫛と鋏による毛の刈り込みでは、バリカンのように毛が詰まることはなく、道具の手入れも、注油の必要がないなど、はるかに簡単である。
又バリカン式のように、金属を多く必要とし複雑な構造の物と比べ、非常に安価に商品化することができる。
【図面の簡単な説明】
【０００６】
【図１】  本考案の正面図である。
【図２】  本考案の上面図である。
【図３】  本考案の歯側側面図である。
【図４】  本考案アタッチメントの斜視図である。
【図５】  本考案の櫛の背をガイドとしての鋏での刈り込み実施状況斜視図である。
【図６】  櫛に装着したアタッチメントをガイドとしての鋏での刈り込み実施状況斜視図である。
【符号の説明】
【０００７】  １  櫛の背上部
２  溝
３  握り部
４  櫛の背
５  歯
６  背の厚み
７  アタッチメント
８  突起部
９  右側面
１０  左側面
１１  厚みとなる辺
１２  鋏
１３  体毛
【図１】
0003162708.tif 000003
【図２】
0003162708.tif 000004
【図３】
0003162708.tif 000005
【図４】
0003162708.tif 000006
【図５】
0003162708.tif 000007
【図６】
0003162708.tif 000008
【手続補正書】
【提出日】平成22年6月25日(2010.6.25)
【手続補正１】
【補正対象書類名】実用新案登録請求の範囲
【補正対象項目名】全文
【補正方法】変更
【補正の内容】
【実用新案登録請求の範囲】
【請求項１】
先端側が櫛の歯部で後端側が握り部である櫛において、櫛の背上部に先端から握り部に向けて設けられた断面逆Ｔ字状の溝と、この逆Ｔ字状の溝に適合するように形成された断面コ字状の突起部が側部に設けられ、櫛の背の側面に接して着脱自在に装着される均一厚さの板状体であることによって鋏で毛を刈る時のガイドとなる複数種類のアタッチメントを備えてなる事を特徴とする、カット用刈り込み長短調節可能櫛。
【手続補正２】
【補正対象書類名】明細書
【補正対象項目名】０００４
【補正方法】変更
【補正の内容】
【０００４】  櫛の背上部１に逆Ｔ字状の溝２をほり、その溝２の形状に適合する、アタッチメントの側部に設けた断面コ字状の突起部８を差込めるようにした。
この形状によって、アタッチメントは櫛の溝２にいったん差込まれると、その抜き差しの方向以外には動かず、櫛の通常の使用状態においては脱落しないものとなる。
櫛そのものは表裏の区別がなく、アタッチメントを右側面９又は左側面１０どちら側から差込むかで、使用者にとって表面にも裏面にもなりうるものとし、握り部３も同様に、左手でも右手でも握れる表裏同様形状とした。
これは、左利きの人でも右利きの人でも双方に不自由なく使用出来ることであり、加えて体毛の流れに順応して毛を梳いた後アタッチメントを左右逆に櫛に差し替えることにより、体毛の流れに逆らって梳き、仕上の整えを容易に出来る事ともなるものである
又、アタッチメントは６ミリ厚、９ミリ厚、１２ミリ厚等の、厚みとなる辺１１の違うもの数種類を用意するようにした。
【手続補正３】
【補正対象書類名】明細書
【補正対象項目名】０００５
【補正方法】変更
【補正の内容】
【０００５】  櫛を皮膚に当てながら毛を梳くと、背の厚み６よりも長い毛の部分が必然的に櫛の背４の辺りに立ち上がってくる、その櫛の背４よりも上に立ち上がった体毛１３を鋏でカットすれば、簡単に体に残った方の毛の長さを揃える事が出来る。
刈り込みたい毛の長さは、厚みとなる辺１１の違う数種類のアタッチメントの中から好みとするものを選んで櫛に差込み、その厚みを鋏のガイドとしカットすることにより容易にすばやく美しく揃える事ができる。
アタッチメントを装着しないで、櫛そのものの背をガイドとしてカットするときが、一番短い刈り込みとなる。
櫛と鋏による毛の刈り込みでは、バリカンのように毛が詰まる事はなく、道具の手入れも、注油の必要がない等、はるかに簡単である。
又、バリカン式のように、金属を多く必要とし複雑な構造のものと比べ、非常に安価に商品化することができる。
【手続補正４】
【補正対象書類名】明細書
【補正対象項目名】０００６
【補正方法】変更
【補正の内容】
【０００６】
【図１】  本考案の正面図である。
【図２】  本考案の平面図である。
【図３】  図１のＡ−Ａ線に沿った断面図である。
【図４】  本考案アタッチメントの斜視図である。
【図５】  本考案の櫛の背をガイドとしての、鋏での刈り込み実施状況斜視図である。
【図６】  櫛に装着したアタッチメントをガイドとしての、鋏での刈り込み実施状況斜視図である。
【図７】  図３の断面図右側にアタッチメントを差込んだ状態の関係図である。
【図８】  図３の断面図左側にアタッチメントを差込んだ状態の関係図である。
【手続補正５】
【補正対象書類名】図面
【補正対象項目名】図１
【補正方法】変更
【補正の内容】
【図１】
0003162708.tif 000009
【手続補正６】
【補正対象書類名】図面
【補正対象項目名】図３
【補正方法】変更
【補正の内容】
【図３】
0003162708.tif 000010
【手続補正７】
【補正対象書類名】図面
【補正対象項目名】図７
【補正方法】追加
【補正の内容】
【図７】
0003162708.tif 000011
【手続補正８】
【補正対象書類名】図面
【補正対象項目名】図８
【補正方法】追加
【補正の内容】
【図８】
0003162708.tif 000012